(57)【要約】【課題】  Ｎ−ｕｐの集約画像の生成において、集約画像内の適切な位置にスタンプを合成する画像処理装置を得る。【解決手段】  画像処理装置１において、原画像取得部２１は、Ｎ−ｕｐの集約画像を生成するためのＮ枚の原画像を取得する。集約画像生成部２２は、取得された原画像から集約画像を生成する。スタンプイメージ合成部２３は、互いにスタンプのレイアウトが異なる複数のスタンプイメージから、集約画像生成条件に対応するスタンプイメージを選択し、選択したスタンプイメージを集約画像に合成する。【選択図】  図１
2019169932.tif 000002
【特許請求の範囲】
【請求項１】
Ｎ−ｕｐの集約画像を生成するためのＮ枚の原画像を取得する原画像取得部と、
取得された前記原画像から前記集約画像を生成する集約画像生成部と、
互いにスタンプのレイアウトが異なる複数のスタンプイメージから、集約画像生成条件に対応するスタンプイメージを選択し、選択した前記スタンプイメージを前記集約画像に合成するスタンプイメージ合成部と、
を備えることを特徴とする画像処理装置。
【請求項２】
原稿から前記原画像を読み取る画像読取装置をさらに備え、
前記原画像取得部は、前記画像読取装置から前記原画像を取得し、
前記スタンプイメージ合成部は、（ａ）前記集約画像生成条件として、前記画像読取装置にセットされた前記原稿の向きを特定し、（ｂ）特定した前記原稿の向きに基づいて、前記集約画像の向きを特定し、（ｃ）前記集約画像の向きに対応するスタンプイメージを選択すること、
を特徴とする請求項１記載の画像処理装置。
【請求項３】
外部の端末装置におけるドライバーとの間で通信を行う通信装置をさらに備え、
前記原画像取得部は、前記通信装置を使用して、前記ドライバーから前記原画像を取得し、
前記スタンプイメージ合成部は、（ａ）前記集約画像生成条件として、前記ドライバーにより指定された印刷向きを特定し、（ｂ）特定した前記印刷向きに基づいて、前記集約画像の向きを特定し、（ｃ）前記集約画像の向きに対応するスタンプイメージを選択すること、
を特徴とする請求項１記載の画像処理装置。
【請求項４】
前記複数のスタンプイメージは、複数の文書ボックスにそれぞれ格納されており、
前記スタンプイメージ合成部は、（ａ）前記複数の文書ボックスから、前記集約画像生成条件に対応する文書ボックスを選択し、（ｂ）選択した前記文書ボックスに格納されているスタンプイメージを選択すること、
を特徴とする請求項１から請求項３のうちのいずれか１項記載の画像処理装置。
【請求項５】
ユーザーにより指定された画像を前記スタンプイメージとして前記文書ボックスに格納するスタンプイメージ登録部をさらに備えることを特徴とする請求項４記載の画像処理装置。
【請求項６】
前記スタンプイメージ合成部は、前記複数のスタンプイメージを、ユーザー、ユーザーの部門、および前記集約画像を生成する日の時間属性のいずれかに応じて切り替えることを特徴とする請求項１から請求項５のうちのいずれか１項記載の画像処理装置。
【請求項７】
前記スタンプイメージ登録部は、（ａ）前記集約画像生成条件の項目ごとに選択肢を表示装置に表示し、（ｂ）前記項目の前記選択肢の１つを当該項目の設定値として選択するユーザー操作を入力装置で検出し、（ｃ）前記集約画像生成条件のすべての項目についての設定値が選択された後、当該項目の設定値の組み合わせとしての前記集約画像生成条件を特定し、（ｄ）前記集約画像生成条件に対応するスタンプイメージを選択するユーザー操作を前記入力装置で検出し、（ｅ）前記スタンプイメージが選択された後、当該集約画像生成条件と当該スタンプイメージとの対応関係をテーブルに登録し、
前記スタンプイメージ合成部は、前記テーブルを参照して、前記集約画像生成条件に対応する前記スタンプイメージを選択すること、
を特徴とする請求項５記載の画像処理装置。
【請求項８】
前記スタンプイメージ登録部は、複数のジョブ種別に対応して、前記集約画像生成条件と前記スタンプイメージとの対応関係をテーブルにそれぞれ登録し、
前記スタンプイメージ合成部は、実行すべきジョブのジョブ種別に対応して選択した前記テーブルを参照して、前記集約画像生成条件に対応する前記スタンプイメージを選択すること、
を特徴とする請求項７記載の画像処理装置。
【発明の詳細な説明】
【技術分野】
【０００１】
本発明は、画像処理装置に関するものである。
【背景技術】
【０００２】
ある画像処理装置では、Ｎ−ｕｐの集約印刷において、複数の原画像の集約前に、スタンプを複数の分割部分に分割し、複数の原画像に、スタンプの複数の分割部分をそれぞれ合成することで、集約後のページ画像（以下、集約画像という）内の、複数の原画像に跨がるスタンプを合成することができる（例えば特許文献１参照）。
【先行技術文献】
【特許文献】
【０００３】
【特許文献１】特開２００７−１２９４２４号公報
【発明の概要】
【発明が解決しようとする課題】
【０００４】
しかしながら、上述の画像処理装置では、Ｎ−ｕｐ集約印刷の集約数Ｎ、原稿サイズ、原稿セット向きなどの組み合わせに応じた位置にスタンプを合成することは困難である。
【０００５】
本発明は、上記の問題に鑑みてなされたものであり、Ｎ−ｕｐの集約画像の生成において、集約画像内の適切な位置にスタンプを合成する画像処理装置を得ることを目的とする。
【課題を解決するための手段】
【０００６】
本発明に係る画像処理装置は、Ｎ−ｕｐの集約画像を生成するためのＮ枚の原画像を取得する原画像取得部と、取得された前記原画像から前記集約画像を生成する集約画像生成部と、互いにスタンプのレイアウトが異なる複数のスタンプイメージから、集約画像生成条件に対応するスタンプイメージを選択し、選択した前記スタンプイメージを前記集約画像に合成するスタンプイメージ合成部とを備える。
【発明の効果】
【０００７】
本発明によれば、Ｎ−ｕｐの集約画像の生成において、集約画像内の適切な位置にスタンプを合成する画像処理装置が得られる。
【０００８】
本発明の上記又は他の目的、特徴および優位性は、添付の図面とともに以下の詳細な説明から更に明らかになる。
【図面の簡単な説明】
【０００９】
【図１】図１は、本発明の実施の形態に係る画像処理装置の構成を示すブロック図である。
【図２】図２は、コピージョブの場合の、図１に示す画像処理装置の動作について説明するフローチャートである。
【図３】図３は、集約数Ｎが２であり、原稿サイズがＡ４であり、集約画像の向きがランドスケープである場合のスタンプイメージ、および集約画像とスタンプイメージとの合成画像の一例を示す図である。
【図４】図４は、集約数Ｎが４であり、原稿サイズがＡ４であり、集約画像の向きがランドスケープである場合のスタンプイメージ、および集約画像とスタンプイメージとの合成画像の一例を示す図である。
【図５】図５は、集約数Ｎが２であり、原稿サイズがＡ４であり、集約画像の向きがポートレートである場合のスタンプイメージ、および集約画像とスタンプイメージとの合成画像の一例を示す図である。
【図６】図６は、集約数Ｎが４であり、原稿サイズがＡ４であり、集約画像の向きがポートレートである場合のスタンプイメージ、および集約画像とスタンプイメージとの合成画像の一例を示す図である。
【図７】図７は、プリントジョブの場合の、図１に示す画像処理装置の動作について説明するフローチャートである。
【発明を実施するための形態】
【００１０】
以下、図に基づいて本発明の実施の形態を説明する。
【００１１】
実施の形態１．
【００１２】
図１は、本発明の実施の形態に係る画像処理装置の構成を示すブロック図である。図１に示す画像処理装置１は、例えば複合機などといった画像形成装置である。図１に示す画像処理装置１は、画像読取装置１１、印刷装置１２、ファクシミリ装置１３、通信装置１４、操作パネル１５、コントローラー１６、記憶装置１７などを備える。
【００１３】
画像読取装置１１は、プラテングラスに載置された原稿や、自動原稿送り装置によりフィードされた原稿から原稿画像を、指定された解像度で光学的に読み取り、その原稿画像の画像データを生成する内部装置である。
【００１４】
印刷装置１２は、原稿画像や集約画像などを印刷する内部装置である。
【００１５】
ファクシミリ装置１３は、スキャンで得られた画像データをファクシミリ信号として送信し、ファクシミリ信号を受信して画像データを生成する内部装置である。通信装置１４は、ネットワークインターフェイス、近距離通信インターフェイスなどであって、図示せぬ端末装置やサーバーとデータ通信を行う内部装置である。
【００１６】
操作パネル１５は、当該画像読取装置の筺体上面側に配置され、ユーザーに対して操作画面を表示する表示装置１５ａおよびユーザー操作を受け付ける入力装置１５ｂを有する内部装置である。表示装置１５ａは、液晶ディスプレイなどである。また、入力装置１５ｂは、ハードキー、表示装置１５ａとともにソフトキーを実現するタッチパネルなどである。
【００１７】
コントローラー１６は、ＣＰＵ（Central Processing Unit）、ＲＯＭ（Read Only Memory）、ＲＡＭ（Random Access Memory）などを有するコンピューター、ＡＳＩＣ（Application Specific Integrated Circuit）などを備え、各種処理部として動作する。つまり、コントローラー１６は、ＲＯＭや記憶装置１７に記憶されているプログラムをＲＡＭにロードしてＣＰＵで実行して、ソフトウェアによって各種処理部として動作したり、ＡＳＩＣなどで、ハードウェアによって各種処理部として動作したりする。また、コントローラー１６は、内部装置を制御して、各種処理を実行する。
【００１８】
記憶装置１７は、フラッシュメモリーなどの不揮発性の記憶装置であって、データやプログラムを記憶する。記憶装置１７は、スタンプイメージデータ１７ａなどを記憶している。
【００１９】
コントローラー１６は、原画像取得部２１、集約画像生成部２２、スタンプイメージ合成部２３、およびスタンプイメージ登録部２４として動作する。
【００２０】
原画像取得部２１は、Ｎ−ｕｐの集約画像を生成するためのＮ枚の原画像（複数枚の原稿のページ画像）を取得する。コピージョブの場合、画像読取装置１１が原稿から原画像を読み取り、原画像取得部２１は、画像読取装置１１から原画像を取得する。プリントジョブの場合、通信装置１４が外部の端末装置２におけるドライバー２ａとの間で通信を行い、原画像取得部２１は、通信装置１４を使用して、ドライバー２ａから原画像を取得する。
【００２１】
集約画像生成部２２は、取得された原画像から集約画像を生成する。
【００２２】
スタンプイメージ合成部２３は、互いにスタンプのレイアウトが異なる複数のスタンプイメージから、集約画像生成条件（集約数Ｎ、原稿サイズなど）に対応するスタンプイメージを選択し、選択したスタンプイメージを集約画像に合成する。この複数のスタンプイメージは、スタンプイメージデータ１７ａとして記憶装置１７に格納されている。
【００２３】
例えば、スタンプイメージ合成部２３は、複数の集約画像生成条件と複数のスタンプイメージとの対応関係を示すテーブルを参照して、集約画像生成条件に対応するスタンプイメージを選択する。
【００２４】
コピージョブの場合、スタンプイメージ合成部２３は、集約画像生成条件として、画像読取装置１１にセットされた原稿の向きを特定し、特定した原稿の向きに基づいて、上述の集約画像の向き（ポートレートまたはランドスケープ）を特定し、特定した集約画像の向きに対応するスタンプイメージを選択する。
【００２５】
プリントジョブの場合、スタンプイメージ合成部２３は、集約画像生成条件として、ドライバー２ａにより指定された印刷向きを特定し、特定した印刷向きに基づいて、上述の集約画像の向きを特定し、特定した集約画像の向きに対応するスタンプイメージを選択する。
【００２６】
この実施の形態では、上述の複数のスタンプイメージは、複数の文書ボックスにそれぞれ格納されており、スタンプイメージ合成部２３は、（ａ）上述の複数の文書ボックスから、集約画像生成条件に対応する文書ボックスを選択し、（ｂ）選択した文書ボックスに格納されているスタンプイメージを選択する。
【００２７】
また、スタンプイメージ登録部２４は、ユーザーにより指定された画像をスタンプイメージとして上述の文書ボックスに格納する。例えば、スタンプイメージが印刷された原稿から画像読取装置１１によりスタンプイメージが読み取られ、ユーザーにより指定された、原画像のサイズ、原画像の向き、および集約画像の集約数Ｎなどの組み合わせに対応する文書ボックスに画像データとして格納される。このようにすることで、集約画像におけるユーザー所望の位置にスタンプを合成することができる。なお、スタンプイメージは、集約画像と同一サイズの画像とされる。
【００２８】
次に、上記画像処理装置の動作について説明する。
【００２９】
（ａ）コピージョブの場合
【００３０】
図２は、コピージョブの場合の、図１に示す画像処理装置の動作について説明するフローチャートである。
【００３１】
コントローラー１６がＮ−ｕｐ集約印刷を伴うコピージョブの要求を受け付けると、原画像取得部２１は、ユーザー操作によって指定される原稿サイズ、集約数Ｎなどのジョブ設定（つまり、集約画像生成条件）を特定し、さらに、プラテングラスまたは自動原稿送り装置にセットされた原稿の原稿セット向き（つまり、集約画像生成条件）を特定する（ステップＳ１）。
【００３２】
次に、原画像取得部２１は、画像読取装置１１を制御して、画像読取装置１１に、原稿からの集約画像の原画像の読み取りを実行させ、画像読取装置１１から原画像を取得する（ステップＳ２）。
【００３３】
集約画像生成部２２は、取得された原画像から、指定された集約数Ｎの集約画像を生成する（ステップＳ３）。
【００３４】
そして、スタンプイメージ合成部２３は、上述の原稿サイズ、集約数Ｎ、原稿セット向きなどの組み合わせ（つまり、集約画像生成条件）に対応するスタンプイメージを選択する（ステップＳ４）。
【００３５】
その際、原稿サイズがＡ４であり、画像読取装置１１の原稿向き設定が奥天であり、実際にセットされた原稿の向き（つまり、原稿シートの向き）がＡ４Ｒ（つまり、主走査方向に対して長辺が平行になる縦方向）である場合、集約画像の向きはランドスケープであると判定される。この場合、文書ボックス＃１に格納されているスタンプイメージが選択される。
【００３６】
また、原稿サイズがＡ４であり、画像読取装置１１の原稿向き設定が奥天であり、実際にセットされた原稿の向きがＡ４Ｅ（つまり、副走査方向に対して長辺が平行になる横方向）である場合、集約画像の向きはポートレートであると判定される。この場合、文書ボックス＃２に格納されているスタンプイメージが選択される。
【００３７】
また、原稿サイズがＡ４であり、画像読取装置１１の原稿向き設定が左天であり、実際にセットされた原稿の向きがＡ４Ｒである場合、集約画像の向きはポートレートであると判定される。この場合、文書ボックス＃２に格納されているスタンプイメージが選択される。
【００３８】
また、原稿サイズがＡ４であり、画像読取装置１１の原稿向き設定が左天であり、実際にセットされた原稿の向きがＡ４Ｅである場合、集約画像の向きはランドスケープであると判定される。この場合、文書ボックス＃１に格納されているスタンプイメージが選択される。
【００３９】
また、原稿サイズがＡ３であり、画像読取装置１１の原稿向き設定が奥天であり、実際にセットされた原稿の向きがＡ３Ｅである場合、集約画像の向きはランドスケープであると判定される。この場合、文書ボックス＃３に格納されているスタンプイメージが選択される。
【００４０】
また、原稿サイズがＡ３であり、画像読取装置１１の原稿向き設定が左天であり、実際にセットされた原稿の向きがＡ３Ｅである場合、集約画像の向きはポートレートであると判定される。この場合、文書ボックス＃４に格納されているスタンプイメージが選択される。
【００４１】
ここでは、集約数Ｎに拘わらずにスタンプイメージが選択されているが、集約数Ｎに応じて異なるスタンプイメージが選択されるようにしてもよい。
【００４２】
スタンプイメージを選択すると、スタンプイメージ合成部２３は、選択したスタンプイメージを、記憶装置１７から読み出し、集約画像に合成する（ステップＳ５）。
【００４３】
図３は、集約数Ｎが２であり、原稿サイズがＡ４であり、集約画像の向きがランドスケープである場合のスタンプイメージ、および集約画像とスタンプイメージとの合成画像の一例を示す図である。図４は、集約数Ｎが４であり、原稿サイズがＡ４であり、集約画像の向きがランドスケープである場合のスタンプイメージ、および集約画像とスタンプイメージとの合成画像の一例を示す図である。
【００４４】
図５は、集約数Ｎが２であり、原稿サイズがＡ４であり、集約画像の向きがポートレートである場合のスタンプイメージ、および集約画像とスタンプイメージとの合成画像の一例を示す図である。図６は、集約数Ｎが４であり、原稿サイズがＡ４であり、集約画像の向きがポートレートである場合のスタンプイメージ、および集約画像とスタンプイメージとの合成画像の一例を示す図である。
【００４５】
例えば図３および図４に示すようなスタンプイメージ（ランドスケープ向きの集約画像に対して上側中央および下側中央の余白部分にスタンプ（文字列や図形）を配置するスタンプイメージ）が文書ボックス＃１に格納されており、図５および図６に示すようなスタンプイメージ（ポートレート向きの集約画像に対して上側中央および下側中央の余白部分にスタンプ（文字列や図形）を配置するスタンプイメージ）が文書ボックス＃２に格納されている場合、集約原稿の向きがランドスケープであると判定されると、図３および図４に示すようにスタンプイメージが合成され、集約原稿の向きがポートレートであると判定されると、図５および図６に示すようにスタンプイメージが合成される。
【００４６】
なお、集約数が４であり、原稿サイズがＡ３であり、集約原稿の向きのランドスケープである場合、例えば、集約画像内の４つの原画像の外側長辺の中央にそれぞれ対応する４つのスタンプが配置されているスタンプイメージが、文書ボックス＃３に格納され使用される。
【００４７】
このようにして生成された合成画像（つまり、スタンプイメージが合成された集約画像）が、コピージョブにおいては、印刷装置１２により印刷される。なお、送信ジョブの場合、上述のようにして生成された合成画像の画像データを、ファクシミリ装置１３（ファクシミリ送信ジョブの場合）、通信装置１４などで外部装置（端末装置２など）（センドジョブの場合）へ送信するようにしてもよい。
【００４８】
（ｂ）プリントジョブの場合
【００４９】
図７は、プリントジョブの場合の、図１に示す画像処理装置の動作について説明するフローチャートである。
【００５０】
コントローラー１６がＮ−ｕｐ集約印刷を伴うプリントジョブの要求をドライバー２ａから受け付けると、原画像取得部２１は、通信装置１４を使用して、ドライバー２ａから送信されてくる印刷データを受信し、印刷データから原画像を抽出したり、印刷データを原画像に変換したりする（ステップＳ１１）。また、原画像取得部２１は、印刷データに基づいて、印刷条件設定（つまり、集約画像生成条件）としての集約数Ｎ、原稿サイズ、印刷向きなどを特定する（ステップＳ１２）。
【００５１】
次に、集約画像生成部２２は、取得された原画像から、指定された集約数Ｎの集約画像を生成する（ステップＳ１３）。
【００５２】
そして、スタンプイメージ合成部２３は、上述の原稿サイズ、集約数Ｎ、印刷向きなどの組み合わせ（つまり、集約画像生成条件）に対応するスタンプイメージを選択する（ステップＳ１４）。
【００５３】
その際、原稿サイズがＡ４であり、印刷向きが縦である場合、集約画像の向きはポートレートであると判定される。この場合、文書ボックス＃２に格納されているスタンプイメージが選択される。
【００５４】
また、原稿サイズがＡ４であり、印刷向きが横である場合、集約画像の向きはランドスケープであると判定される。この場合、文書ボックス＃１に格納されているスタンプイメージが選択される。
【００５５】
その際、原稿サイズがＡ３であり、印刷向きが縦である場合、集約画像の向きはポートレートであると判定される。この場合、文書ボックス＃４に格納されているスタンプイメージが選択される。
【００５６】
また、原稿サイズがＡ３であり、印刷向きが横である場合、集約画像の向きはランドスケープであると判定される。この場合、文書ボックス＃３に格納されているスタンプイメージが選択される。
【００５７】
ここでは、プリントジョブのスタンプイメージとコピージョブのスタンプイメージとを共通して使用しているが、プリントジョブのスタンプイメージとして、コピージョブのスタンプイメージとは異なるスタンプイメージを使用するようにしてもよい。
【００５８】
スタンプイメージを選択すると、スタンプイメージ合成部２３は、選択したスタンプイメージを、記憶装置１７から読み出し、集約画像に合成する（ステップＳ１５）。
【００５９】
このようにして生成された合成画像（つまり、スタンプイメージが合成された集約画像）が、コピージョブにおいては、印刷装置１２により印刷される。なお、上述のようにして生成された合成画像の画像データを、ファクシミリ装置１３、通信装置１４などで外部装置（端末装置２など）へ送信するようにしてもよい。
【００６０】
以上のように、上記実施の形態によれば、原画像取得部２１は、Ｎ−ｕｐの集約画像を生成するためのＮ枚の原画像を取得する。集約画像生成部２２は、取得された原画像から集約画像を生成する。スタンプイメージ合成部２３は、互いにスタンプのレイアウトが異なる複数のスタンプイメージから、集約画像生成条件に対応するスタンプイメージを選択し、選択したスタンプイメージを集約画像に合成する。
【００６１】
これにより、Ｎ−ｕｐの集約画像の生成条件に応じた位置にスタンプが配置されるため、Ｎ−ｕｐの集約画像の生成において、集約画像内の適切な位置にスタンプが合成される。
【００６２】
実施の形態２．
【００６３】
実施の形態２に係る画像処理装置では、上述の複数の集約画像生成条件と複数のスタンプイメージとの対応関係を示すテーブルが、ユーザーによって編集または生成可能となっている。
【００６４】
実施の形態２では、スタンプイメージ登録部２４は、所定のユーザー操作が入力装置１５ｂで検出されると、（ａ）集約画像生成条件の項目ごとに選択肢を表示装置１５ａに表示し、（ｂ）その項目の選択肢の１つをその項目の設定値として選択するユーザー操作を入力装置１５ｂで検出し、（ｃ）集約画像生成条件のすべての項目についての設定値が選択された後、当該項目の設定値の組み合わせとしての当該集約画像生成条件を特定し、（ｄ）その集約画像生成条件に対応するスタンプイメージ（具体的にはそのスタンプイメージが格納されている文書ボックス）を選択するユーザー操作を入力装置１５ｂで検出し、（ｅ）スタンプイメージが選択された後、その集約画像生成条件とそのスタンプイメージとの対応関係を上述のテーブルに登録する。
【００６５】
なお、上述のテーブルは、（ａ）コピージョブ、送信ジョブ（センドジョブまたはファクシミリ送信ジョブ）、プリントジョブなどに共通のテーブルとしてもよいし、（ｂ）コピージョブおよび送信ジョブとプリントジョブとで別々の複数のテーブルとしジョブ種別に応じてテーブルを選択し使用するようにしてもよい。
【００６６】
例えば、コピージョブおよび送信ジョブ用のテーブルの場合、項目として、原稿サイズ、原稿向き、集約数、（ユーザー認証オンの場合）ユーザー（ユーザー名、ユーザーＩＤなど）、（部門管理オンの場合）部門（部門名、部門ＩＤなど）などがある。そして、項目「原稿サイズ」の選択肢は、Ｌｅｄｇｅｒ、ＬｅｔｔｅｒＲ、Ｌｅｔｔｅｒ、Ｌｅｇａｌ、ＳｔａｔｅｍｅｎｔＲ、Ｓｔａｔｅｍｅｎｔ、１１ｘ１５、Ｏｆｉｃｉｏ２、８Ｋ、１６ＫＲ、１６Ｋ、Ａ３Ｒ、Ａ４Ｒ、Ａ４、Ａ５Ｒ、Ａ５、Ａ６、Ｂ４Ｒ、Ｂ４、Ｂ５Ｒ、Ｂ５、Ｂ６Ｒ、Ｂ６、Ｆｏｌｉｏなどを含む。項目「原稿向き」の選択肢は、原稿上辺を奥にセット、原稿上辺を左にセットなどを含む。項目「集約数」の選択肢は、１（つまり、集約なし）、２（つまり、２ｉｎ１）、４（つまり、４ｉｎ１）などを含む。なお、項目「ユーザー」または項目「部門」の選択肢は、予め登録されているユーザーまたは部門のユーザー名、ユーザーＩＤなど、あるいは部門名、部門ＩＤなどを含む。
【００６７】
例えば、プリントジョブ用のテーブルの場合、項目として、原稿サイズ、印刷向き、集約数、（ユーザー認証オンの場合）ユーザー（ユーザー名、ユーザーＩＤなど）、（部門管理オンの場合）部門（部門名、部門ＩＤなど）などがある。そして、項目「原稿サイズ」の選択肢は、Ｌｅｄｇｅｒ、ＬｅｔｔｅｒＲ、Ｌｅｔｔｅｒ、Ｌｅｇａｌ、ＳｔａｔｅｍｅｎｔＲ、Ｓｔａｔｅｍｅｎｔ、１１ｘ１５、Ｏｆｉｃｉｏ２、８Ｋ、１６ＫＲ、１６Ｋ、Ａ３Ｒ、Ａ４Ｒ、Ａ４、Ａ５Ｒ、Ａ５、Ａ６、Ｂ４Ｒ、Ｂ４、Ｂ５Ｒ、Ｂ５、Ｂ６Ｒ、Ｂ６、Ｆｏｌｉｏなどを含む。項目「印刷向き」の選択肢は、縦、横、縦１８０度回転、横１８０度回転などを含む。項目「集約数」の選択肢は、１（つまり、集約なし）、２（つまり、２ｉｎ１）、４（つまり、４ｉｎ１）などを含む。なお、項目「ユーザー」または項目「部門」の選択肢は、予め登録されているユーザーまたは部門のユーザー名、ユーザーＩＤなど、あるいは部門名、部門ＩＤなどを含む。
【００６８】
そして、ジョブを実行する場合、スタンプイメージ合成部２３は、そのテーブルを参照して、集約画像生成条件に対応するスタンプイメージを選択する。その際、スタンプイメージ合成部２３はコピージョブおよび送信ジョブとプリントジョブとで別々のテーブルとした場合、そのジョブのジョブ種別に応じてテーブルを選択し、選択したテーブルを参照して、集約画像生成条件に対応するスタンプイメージを選択する。
【００６９】
なお、実施の形態２に係る画像処理装置のその他の構成および動作は実施の形態１と同様であるので、その説明を省略する。
【００７０】
以上のように、上記実施の形態２によれば、ユーザーにより上述のテーブル（つまり、集約画像生成条件とスタンプイメージとの対応関係）をカスタマイズできる。
【００７１】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００７２】
例えば、上記実施の形態１，２において、スタンプイメージ合成部２３は、複数のスタンプイメージを、ユーザー、ユーザーの部門、および集約画像を生成する日の時間属性（曜日、週、月、年など）のいずれかに応じて切り替えるようにしてもよい。
【００７３】
また、上記実施の形態１，２において、集約画像生成条件に対して文書ボックスを関連付けておく代わりに、集約画像生成条件に対してスタンプイメージの名称やファイルパスをそれぞれ関連付けておき、スタンプイメージ合成部２３は、スタンプイメージを合成すべき集約画像についての集約画像生成条件に応じたスタンプイメージを直接的に特定して選択するようにしてもよい。
【産業上の利用可能性】
【００７４】
本発明は、例えば、複合機などの画像形成装置に適用可能である。
【符号の説明】
【００７５】
１  画像処理装置
２  端末装置
２ａ  ドライバー
１１  画像読取装置
１４  通信装置
２１  原画像取得部
２２  集約画像生成部
２３  スタンプイメージ合成部
２４  スタンプイメージ登録部
【図１】
2019169932.tif 000003
【図２】
2019169932.tif 000004
【図３】
2019169932.tif 000005
【図４】
2019169932.tif 000006
【図５】
2019169932.tif 000007
【図６】
2019169932.tif 000008
【図７】
2019169932.tif 000009